(57)【特許請求の範囲】
【請求項１】
前面に水平回動式扉を有するとともに、庫内の左右に温度を独立して調整可能な複数の貯蔵室を備え、かつ各貯蔵室内には、前方へ引き出し可能で商品を縦方向に収納して順次下方向に移送する商品収納ラックと、商品収納ラックから落下した商品を庫外に搬出するためのコンベアと、貯蔵室内を加熱・冷却するためのファン、ヒータ、及び蒸発器とを設置してなる自動販売機において、
前記水平回動式扉のヒンジ側に位置する貯蔵室の側面の断熱材と商品収納ラックとの間の隙間に、前記ファンから吹き出されて前記貯蔵室内を循環する空気の一部を通過させて前記商品収納ラックの高さ方向中間部に直接向かわせる内部風路を備えた補助断熱材を設置け、
該補助断熱材は、前記隙間に着脱自在で、上下、左右、又は表裏を反転しても前記隙間に挿入可能な構造を有し、その表裏を反転させて前記隙間に取り付けた場合には、前記内部風路が前記側面の断熱材にて閉塞されるように構成されてなることを特徴とする自動販売機。
【請求項２】
前記補助断熱材は、真空断熱材または発泡材から構成されてなることを特徴とする請求項１記載の自動販売機。
【発明の詳細な説明】
【技術分野】
【０００１】
本発明は、前面に水平回動式扉を有するとともに、庫内の左右に温度を独立して調整可能な複数の貯蔵室を備え、かつ各貯蔵室内には、前方へ引き出し可能な商品収納ラックを設置してなる自動販売機に係り、より詳しくは水平回動式扉のヒンジ側に位置する貯蔵室の側面断熱材と商品収納ラックとの間の隙間を、当該貯蔵室の使用形態に合わせて埋めることのできる自動販売機に関する。
【背景技術】
【０００２】
図１１は従来の一般的な紙容器飲料自動販売機の前面の扉を除いた概略構成を示す正面図、図１２はその稼働時の貯蔵室内循環空気の流れを説明するための説明図である。
【０００３】
従来の自動販売機１は、１面（前面）を水平回動式の外扉２ａ及び内扉２ｂによって、また残りの面を断熱材３ａ，３ｂ，３ｃ，３ｄ，３ｅによって包囲された貯蔵庫を有し、さらに貯蔵庫内が仕切板４ａ，４ｂによって３つの縦長の貯蔵室５ａ，５ｂ，５ｃに画成されている。すなわち、仕切板４ａによって貯蔵室５ａと貯蔵室５ｂとに区切られ、仕切板４ｂによって貯蔵室５ｂと貯蔵室５ｃとに区切られている。
【０００４】
各貯蔵室５ａ，５ｂ，５ｃには、それぞれ前方へ引き出し可能で商品６を縦方向に収納して順次下方に移送する商品収納ラック７ａ，７ｂ，７ｃと、各商品収納ラック７ａ，７ｂ，７ｃから落下した商品６をそれぞれ商品搬送口（内扉２ｂを貫通する開口部として設けられている）に向けて搬送するコンベア８ａ，８ｂ，８ｃ（図１２に１つのコンベアのみ示す）が設けられているとともに、各コンベア８ａ，８ｂ，８ｃの下方に、それぞれ蒸発器９ａ，９ｂ，９ｃ（図１２に１つの蒸発器のみ示す）、ヒータ１１ａ，１１ｂ，１１ｃ（図１２に１つのヒータのみ示す）、及びファン１２ａ，１２ｂ，１２ｃ（図１２に１つのファンのみ示す）が設置され、更に各貯蔵室５ａ，５ｂ，５ｃの背面側に、各商品収納ラック７ａ，７ｂ，７ｃの内部を経由して各蒸発器９ａ，９ｂ，９ｃ（又は各ヒータ１１ａ，１１ｂ，１１ｃ）に向けて各貯蔵室５ａ，５ｂ，５ｃ内の空気を循環させるための吸気ダクト１３ａ，１３ｂ，１３ｃ（図１２に１つの吸気ダクトのみ示す）が設置されている。
【０００５】
すなわち、例えば貯蔵室５ｃにおいて蒸発器９ｃを作動した場合には、蒸発器９ｃにおいて冷却された空気はファン１２ｃによって送られ、コンベア８ｃの前縁と内扉２ｂとの間に形成された隙間Ｇ１から上方に吹き出し、商品収納ラック７ｃに収容された商品６に衝突してこれを冷却し、その後、吸気ダクト１３ｃの上端吸気口から吸気ダクト１３ｃ内に吸引され、吸気ダクト１３ｃの下端排気口から蒸発器９ｃに吸い込まれる。かかる風の流れを図１２中に矢印にて模式的に示す。ちなみに、冷却の場合は、法律で規制されているため、貯蔵室５ｃ内全体、つまり商品収納ラック７ｃに収容された商品６の全てを冷却しなければならない。
【０００６】
一方、例えば貯蔵室５ａにおいてヒータ１１ａを作動した場合には、ヒータ１１ａにおいて加熱された空気はファン１２ａによって送られ、コンベア８ａの前縁と内扉２ｂとの間に形成された隙間Ｇ１から上方に吹き出し、商品収納ラック７ａに収容された商品６に衝突してこれを加熱し、その後、吸気ダクト１３ａの上端吸気口から吸気ダクト１３ａ内に吸引され、吸気ダクト１３ａの下端排気口からヒータ１１ａに吸い込まれる。ちなみに、加熱の場合は、法律上の規制がなく、したがって貯蔵室５ａすなわち商品収納ラック７ａに収容された商品６の全てを加熱する必要がなく、先に出庫される下部側の商品６を重点的に加熱できればよいものである。
【０００７】
冷却ユニットは、各貯蔵室５ａ，５ｂ，５ｃ内部にそれぞれ配置された蒸発器９ａ，９ｂ，９ｃと、貯蔵庫の外部、つまり貯蔵庫の底壁を形成する断熱材３ｃの下方に配置された圧縮機１４、及びファン１５を有する凝縮器１６と、これらを接続する冷媒配管１７とから成り、圧縮機１４と凝縮器１６とが１本の冷媒配管１７によって直列に接続されている。そして冷媒配管１７は、凝縮器１６の下流で分岐して、それぞれ貯蔵室５ａ，５ｂ，５ｃ（蒸発器９ａ，９ｂ，９ｃに同じ）に導かれ、さらに貯蔵室５ａ，５ｂ，５ｃを出た後は圧縮機１４の上流で再び１本の冷媒配管１７に統合されている。
【０００８】
そして、貯蔵室５ａ，５ｂ，５ｃが商品６の種類や季節等に応じて冷却室または加熱室として適宜切り換えて使用され、冷却室では商品が保冷され、加熱室では商品が加温されるようになっている。
【０００９】
ところで、前述のように水平回動式扉（外扉２ａ及び内扉２ｂ）を有するとともに、各貯蔵室５ａ，５ｂ，５ｃ内から各商品収納ラック７ａ，７ｂ，７ｃをそれぞれ前方へ引き出し可能に構成してなる自動販売機１にあっては、水平回動式扉のヒンジ側に位置する（ここでは正面から見て左側に位置する）貯蔵室５ａの側面の断熱材３ｄと商品収納ラック７ａとの間に水平回動式扉（特に内扉２ｂ）の厚みに応じた隙間Ｇ２を設けている。この隙間Ｇ２は、水平回動式扉の最大開放角度が９０度に制限されるコーナ等に当該自動販売機１が設置されても、水平回動式扉と干渉することなくヒンジ側に位置する貯蔵室５ａ内から商品収納ラック７ａを扉と干渉することなく引き出せるようにするために設けられているものである（例えば特許文献１参照）。
【００１０】
【特許文献１】特開２００２−１９７５２６号公報
【発明の開示】
【発明が解決しようとする課題】
【００１１】
従来の自動販売機１は、以上のように構成され、水平回動式扉のヒンジ側（左側）に位置する貯蔵室５ａの側面の断熱材３ｄと商品収納ラック７ａとの間に、水平回動式扉の厚みに応じた隙間Ｇ２を設けて、コーナ等に自動販売機１が設置されても、ヒンジ側の貯蔵室５ａ内から商品収納ラック７ａを引き出せるようにしている。しかしながら、隙間Ｇ２は、貯蔵室５ａ内で風が通り易い風路となる。このため、コンベア８ａの前縁と内扉２ｂとの間の隙間Ｇ１から吹き出して直ぐに隙間Ｇ２へ流れる空気の量が多く、商品６との間の熱交換効率が低下する要因となっていた。すなわち、隙間Ｇ２へ流れた空気は、商品６と衝突することなく隙間Ｇ２内を上昇しながら後方奥へ流れ、吸気ダクト１３ａの上端吸気口へと直接流れ込む。つまり、隙間Ｇ２は、商品６の加熱（又は冷却）に寄与しない風の流れを発生させる要因となっていた。更に、必然的に隙間Ｇ２内を流れる風から側面の断熱材３ｄを介した外部への放熱量（熱ロス）も大きくなるという難点があった。
【００１２】
本発明の技術的課題は、水平回動式扉のヒンジ側の貯蔵室内の側面に形成される隙間が風路となるのを防止できて、熱ロスの低減、及び商品との間の熱交換効率を向上させ得るようにすることにある。
【課題を解決するための手段】
【００１３】
（１）本発明に係る自動販売機は、下記の構成からなるものである。すなわち、前面に水平回動式扉を有するとともに、庫内の左右に温度を独立して調整可能な複数の貯蔵室を備え、かつ各貯蔵室内には、前方へ引き出し可能で商品を縦方向に収納して順次下方向に移送する商品収納ラックと、商品収納ラックから落下した商品を庫外に搬出するためのコンベアと、貯蔵室内を加熱・冷却するためのファン、ヒータ、及び蒸発器とを設置してなる自動販売機において、水平回動式扉のヒンジ側に位置する貯蔵室の側面断熱材と商品収納ラックとの間の隙間に、ファンから吹き出されて貯蔵室内を循環する空気の一部を通過させて商品収納ラックの高さ方向中間部に直接向かわせる内部風路を備えた補助断熱材を設置け、補助断熱材は、前記隙間に着脱自在で、上下、左右、又は表裏を反転しても前記隙間に挿入可能な構造を有し、その表裏を反転させて前記隙間に取り付けた場合には、前記内部風路が前記側面の断熱材にて閉塞されるように構成されてなるものである。なお、ここでいう閉塞とは、内部風路の両端開口の一方のみが閉じられている状態を含むものである。
【００１６】
（４）補助断熱材は、真空断熱材または発泡材から構成されてなるものである。
【発明の効果】
【００１７】
本発明においては、水平回動式扉のヒンジ側に位置する貯蔵室の側面断熱材と商品収納ラックとの間の隙間に、ファンから吹き出されて貯蔵室内を循環する空気の一部を通過させて商品収納ラックの高さ方向中間部に直接向かわせる内部風路を備えた補助断熱材を設置け、補助断熱材は、前記隙間に着脱自在で、上下、左右、又は表裏を反転しても前記隙間に挿入可能な構造を有し、その表裏を反転させて前記隙間に取り付けた場合には、前記内部風路が前記側面の断熱材にて閉塞されるように構成しているので、ファンから吹き出されて隙間へ流れる空気の流れが無くなり、商品と衝突する空気の量を増やすことができる。このため、熱ロスの低減、及び商品との間の熱交換効率が向上する。
また、ファンから吹き出されて貯蔵室内を循環する空気の一部を、補助断熱材に設けた内部風路を通過させて商品収納ラックの高さ方向中間部に直接向かわせることができて、商品収納ラックに収納されている商品のうち、下部側の商品と衝突する空気の量を増やすことができる。このため、水平回動式扉のヒンジ側に位置する貯蔵室を加熱室として使用することで、先に出庫される下部側の商品を重点的に加熱することができ、加熱効率が向上し、省エネルギ効果が得られる。
また、補助断熱材の表裏を反転させて隙間に取り付けることで、その内部風路を側面の断熱材にて閉塞することができて、商品収納ラックに収納されている全ての商品と衝突する空気の量を増やすことができ、水平回動式扉のヒンジ側に位置する貯蔵室を冷却室として使用することができる。
【００２０】
また、補助断熱材を、真空断熱材または発泡材から構成することで、製作が容易となる。
【発明を実施するための最良の形態】
【００２１】
実施の形態１．
以下、図示実施形態により本発明を説明する。
図１は本発明の実施の形態１に係る自動販売機の補助断熱材と貯蔵室との関係を前面の水平回動式扉を除いた状態で示す分解斜視図、図２はその貯蔵室内に補助断熱材を設置した状態を示す正面図、図３はその補助断熱材を拡大して示す斜視図、図４はその商品収納ラックを拡大して示す斜視図、図５はその貯蔵室の要部である補助断熱材設置部を拡大して示す斜視図、図６は商品収納ラック及び補助断熱材をスライド自在に支持するレールの要部を斜め下方より示す斜視図、図７はその貯蔵室を冷却室として使用する場合の補助断熱材の姿勢を示す説明図、図８はその貯蔵室を冷却室として使用する場合の補助断熱材と貯蔵室との関係を前面の水平回動式扉を除いた状態で示す分解斜視図であり、各図中、前述の従来例のものと同一部分には同一符号を付してその説明を省略する。また、説明にあたっては前述の図１２を参照するものとする。なお、各図中の補助断熱材については説明の都合上、実際の厚みより厚く表記してある。
【００２２】
本実施形態の自動販売機１は、水平回動式扉（外扉２ａ及び内扉２ｂ）のヒンジ側に位置する貯蔵室５ａの側面の断熱材（以下、側面断熱材という）３ｄと商品収納ラック７ａとの間の隙間Ｇ２に、内部風路２１を有する補助断熱材２０を設置したものである。
【００２３】
これを更に詳述すると、補助断熱材２０は、真空断熱材または発泡材から成り、隙間Ｇ２に着脱自在で、図１、図３、図７及び図８のように上下、左右、又は表裏を反転しても隙間Ｇ２に挿入可能な直方体構造を有している。内部風路２１は、補助断熱材２０の短辺側の側縁２０ｃに設けた風路入口２１ｂと補助断熱材２０の表面（一端面）２０ａの高さ方向中間部に設けた風路出口２１ａとの間を接続するＬ形に形成され、奥行き方向に複数（ここでは２つ）並設されている。
【００２４】
また、コンベア８ａの側方には、図５及び図６のように商品収納ラック７ａ及び補助断熱材２０をスライド自在に支持するレール２２が配置されている。レール２２は、一側辺が幅広に設定されてその端縁が外方に折曲された溝形部材から成り、その折曲部が商品収納ラック７ａを案内支持するラック支持部２２ａとして、またその一側辺の幅広部が補助断熱材２０をスライド自在に支持する補助断熱材支持部２２ｃとして、それぞれ構成されている。また、ラック支持部２２ａの手前側端に、商品収納ラック７ａの引き出しストロークを規定する突起状のストッパ２２ｂが形成され、さらに補助断熱材支持部２２ｃに、補助断熱材２０の各内部風路２１のピッチに合わせて各風路入口２１ｂと連通可能な複数（ここでは２つ）の孔２２ｄが形成されている。それ以外の構成は前述の従来例のものと同様である。
【００２５】
本実施形態の自動販売機１において、貯蔵室５ａを加熱室として使用する場合は、図１及び図３のように補助断熱材２０の側縁２０ｃの風路入口２１ｂが下向き、風路出口２１ａが商品収納ラック７ａ側を向くように、つまり表面２０ａを商品収納ラック７ａ側に向かせた状態で、補助断熱材２０をその先端面が貯蔵室５ａの背面に当接するまで隙間Ｇ２内へ挿入する。これにより、各内部風路２１の各風路入口２１ｂとレール２２の各孔２２ｄとの位置合わせが行われ、これらが連通する。したがって、ヒータ１１ａ及びファン１２ａを作動すると、ヒータ１１ａにおいて加熱された空気はファン１２ａによって送られ、図１２のようにコンベア８ａの前縁と内扉２ｂとの間の隙間Ｇ１から上方に吹き出し、大部分は商品収納ラック７ａに収容された商品６に衝突してこれを加熱し、その後、吸気ダクト１３ａの上端吸気口から吸気ダクト１３ａ内に吸引され、吸気ダクト１３ａの下端排気口からヒータ１１ａに吸い込まれる。
【００２６】
また、ファン１２ａから吹き出されて貯蔵室５ａ内を循環する空気（暖気）の一部は、図５のようにレール２２の補助断熱材支持部２２ｃの各孔２２ｄから各内部風路２１の各風路入口２１ｂ内へ進入して内部風路を通過し、各風路出口２１ａから商品収納ラック７ａの高さ方向中間部に直接向かい、商品収納ラック７ａの高さ方向中間部に収容された商品６に衝突してこれを加熱し、その後、吸気ダクト１３ａの上端吸気口から吸気ダクト１３ａ内に吸引される。これにより、先に出庫される下部側の商品６を重点的に加熱することができ、下部側の商品６と衝突する空気（暖気）の量を増やすことができる。このため、熱ロスの低減、及び下部側の商品６との間の熱交換効率が向上する。
【００２７】
貯蔵室５ａを冷却室として使用する場合は、図７及び図８のように補助断熱材２０の側縁２０ｃの風路入口２１ｂを上に、更に補助断熱材２０の表裏を反転させた状態、つまり裏面２０ｂを商品収納ラック７ａ側に向かせた状態で、補助断熱材２０をその先端面が貯蔵室５ａの背面に当接するまで隙間Ｇ２内へ挿入する。これにより、補助断熱材２０は、各内部風路２１の各風路入口２１ｂが貯蔵室５ａの頂面の断熱材３ａにて閉塞され、更に各内部風路２１の各風路出口２１ａが側面断熱材３ｄにて閉塞されるので、単に隙間Ｇ２を埋めるブロックとして機能する。したがって、蒸発器９ａ及びファン１２ａを作動すると、蒸発器９ａにおいて冷却された空気はファン１２ａによって送られ、図１２のようにコンベア８ａの前縁と内扉２ｂとの間の隙間Ｇ１から全て上方に吹き出し、商品収納ラック７ａに収容された商品６に衝突してこれを冷却し、その後、吸気ダクト１３ａの上端吸気口から吸気ダクト１３ａ内に吸引され、吸気ダクト１３ａの下端排気口から蒸発器９ａに吸い込まれる。これにより、ファン１２ａから吹き出されて隙間へ流れる空気（冷気）の流れが無くなり、商品６と衝突する空気（冷気）の量を増やすことができる。このため、熱ロスの低減、及び商品６との間の熱交換効率が向上する。
【００２８】
また、補助断熱材２０を真空断熱材または発泡材から構成すれば、製作が容易となる。
【００２９】
実施の形態２．
図９は本発明の実施の形態２に係る自動販売機の補助断熱材を示す斜視図、図１０はその補助断熱材と貯蔵室との関係を前面の水平回動式扉を除いた状態で示す分解斜視図であり、各図中、前述の実施の形態１のものと同一部分には同一符号を付してある。また、ここでも説明にあたっては前述の図１２を参照するものとする。なお、ここでも各図中の補助断熱材については説明の都合上、実際の厚みより厚く表記してある。
【００３０】
本実施形態の自動販売機１は、水平回動式扉（外扉２ａ及び内扉２ｂ）のヒンジ側に位置する貯蔵室５ａの側面断熱材３ｄと商品収納ラック７ａとの間の隙間Ｇ２に設置する補助断熱材３０の内部風路３１を、補助断熱材３０の表面（一端面）３０ａの下部に設けた風路入口３１ｂと同じ表面３０ａの高さ方向中間部に設けた風路出口３１ａとの間を接続するコ字形に形成し、奥行き方向に複数（ここでは２つ）並設したものである。それ以外の構成は前述の従来例のものと同様である。
【００３１】
本実施形態の自動販売機１において、貯蔵室５ａを加熱室として使用する場合は、補助断熱材３０の風路入口３１ｂと風路出口３１ａが商品収納ラック７ａ側を向くように、つまり表面３０ａを商品収納ラック７ａ側に向かせた状態で、補助断熱材３０をその先端面が貯蔵室５ａの背面に当接するまで隙間Ｇ２内へ挿入する。ヒータ１１ａ及びファン１２ａを作動すると、ヒータ１１ａにおいて加熱された空気はファン１２ａによって送られ、図１２のようにコンベア８ａの前縁と内扉２ｂとの間の隙間Ｇ１から上方に吹き出し、大部分は商品収納ラック７ａに収容された商品６に衝突してこれを加熱し、その後、吸気ダクト１３ａの上端吸気口から吸気ダクト１３ａ内に吸引され、吸気ダクト１３ａの下端排気口からヒータ１１ａに吸い込まれる。
【００３２】
また、ファン１２ａから吹き出されて貯蔵室５ａ内を循環する空気（暖気）の一部は、商品収納ラック７ａから各内部風路３１の各風路入口３１ｂ内へ進入して内部風路を通過し、各風路出口３１ａから商品収納ラック７ａの高さ方向中間部に直接向かい、商品収納ラック７ａの高さ方向中間部に収容された商品６に衝突してこれを加熱し、その後、吸気ダクト１３ａの上端吸気口から吸気ダクト１３ａ内に吸引される。これにより、先に出庫される下部側の商品６を重点的に加熱することができ、下部側の商品６と衝突する空気（暖気）の量を増やすことができる。このため、熱ロスの低減、及び下部側の商品６との間の熱交換効率が向上する。
【００３３】
貯蔵室５ａを冷却室として使用する場合は、図９及び図１０のように補助断熱材３０の風路入口３１ｂと風路出口３１ａが側面断熱材３ｄ側を向くように、つまり裏面３０ｂを商品収納ラック７ａ側に向かせた状態で、補助断熱材３０をその先端面が貯蔵室５ａの背面に当接するまで隙間Ｇ２内へ挿入する。これにより、補助断熱材３０は、各内部風路３１の各風路入口３１ｂと各風路出口３１ａが側面断熱材３ｄにて閉塞されるので、単に隙間Ｇ２を埋めるブロックとして機能する。したがって、蒸発器９ａ及びファン１２ａを作動すると、蒸発器９ａにおいて冷却された空気はファン１２ａによって送られ、図１２のようにコンベア８ａの前縁と内扉２ｂとの間の隙間Ｇ１から全て上方に吹き出し、商品収納ラック７ａに収容された商品６に衝突してこれを冷却し、その後、吸気ダクト１３ａの上端吸気口から吸気ダクト１３ａ内に吸引され、吸気ダクト１３ａの下端排気口から蒸発器９ａに吸い込まれる。これにより、ファン１２ａから吹き出されて隙間へ流れる空気（冷気）の流れが無くなり、商品６と衝突する空気（冷気）の量を増やすことができる。このため、熱ロスの低減、及び商品６との間の熱交換効率が向上する。
【００３４】
また、補助断熱材３０の風路入口３１ｂと風路出口３１ａを同一面（表面３０ａ）に形成しているので、貯蔵室５ａの使用形態に応じて補助断熱材３０の表裏を反転させるだけでよく、冷却室から加熱室、又はその逆の切換が容易となる。
【００３５】
また、補助断熱材３０をスライド自在に支持するレール２２（図５、図６）に、内部風路３１との連通孔を形成する必要が無くなって加工が容易となる。
【００３６】
なお、前述の各実施の形態においては補助断熱材の各内部風路の出口をいずれも表面の高さ方向中間部の同一高さ位置に設けたものを例に挙げて説明したが、これに限るものでなく、貯蔵室５ａ内を循環する空気（暖気）の挙動に応じて、例えば手前側は低く、奥側は高くなるように高さ位置を異ならせてもよい。
【図面の簡単な説明】
【００３７】
【図１】本発明の実施の形態１に係る自動販売機の補助断熱材と貯蔵室との関係を前面の水平回動式扉を除いた状態で示す分解斜視図である。
【図２】本発明の実施の形態１に係る自動販売機の貯蔵室内に補助断熱材を設置した状態を示す正面図である。
【図３】本発明の実施の形態１に係る自動販売機の補助断熱材を拡大して示す斜視図である。
【図４】本発明の実施の形態１に係る自動販売機の商品収納ラックを拡大して示す斜視図である。
【図５】本発明の実施の形態１に係る自動販売機の貯蔵室の要部である補助断熱材設置部を拡大して示す斜視図である。
【図６】本発明の実施の形態１に係る自動販売機の商品収納ラック及び補助断熱材をスライド自在に支持するレールの要部を斜め下方より示す斜視図である。
【図７】本発明の実施の形態１に係る自動販売機の貯蔵室を冷却室として使用する場合の補助断熱材の姿勢を示す説明図である。
【図８】本発明の実施の形態１に係る自動販売機の貯蔵室を冷却室として使用する場合の補助断熱材と貯蔵室との関係を前面の水平回動式扉を除いた状態で示す分解斜視図である。
【図９】本発明の実施の形態２に係る自動販売機の補助断熱材を示す斜視図である。
【図１０】本発明の実施の形態２に係る自動販売機の補助断熱材と貯蔵室との関係を前面の水平回動式扉を除いた状態で示す分解斜視図である。
【図１１】従来の自動販売機の前面の扉を除いた概略構成を示す正面図である。
【図１２】従来の自動販売機の稼働時の貯蔵室内循環空気の流れを説明するための説明図である。
【符号の説明】
【００３８】
１  自動販売機
２ａ  外扉（水平回動式扉）
２ｂ  内扉（水平回動式扉）
３ｄ  側面断熱材
５ａ  貯蔵室（扉のヒンジ側の貯蔵室）
５ｂ，５ｃ  貯蔵室
６  商品
７ａ，７ｂ，７ｃ  商品収納ラック
８ａ，８ｂ，８ｃ  コンベア
９ａ，９ｂ，９ｃ  蒸発器
１１ａ，１１ｂ，１１ｃ  ヒータ
１２ａ，１２ｂ，１２ｃ  ファン
Ｇ２  隙間
２０，３０  補助断熱材
２１，３１  内部風路
【図１】
0004404033.tif 000002
【図２】
0004404033.tif 000003
【図３】
0004404033.tif 000004
【図４】
0004404033.tif 000005
【図５】
0004404033.tif 000006
【図６】
0004404033.tif 000007
【図７】
0004404033.tif 000008
【図８】
0004404033.tif 000009
【図９】
0004404033.tif 000010
【図１０】
0004404033.tif 000011
【図１１】
0004404033.tif 000012
【図１２】
0004404033.tif 000013